(57)【要約】【課題】複数のパーツを必要とせずに簡単に組み立てることができ、またダンボール紙等の厚紙を用いて形成することにより、使用後の廃棄処理が容易であり、焼却処理における有害ガスの発生の問題もない環境に優しい組立方式の包装用緩衝材を提供する。【解決手段】四つの側板１、２、３、４と接合板５からなり、側板１の一端部と接合板５とを重ね合わせ接合した四角形筒状の胴部２０と、底部３０とからなる箱体であって、前記側板１の他側端の下部に延設した張出板１ｂと、側板２の一側端の上部と他側端の下部とに延設した各々張出板２ａ、２ｂと、側板３の一側端の上部と他側端の下部とに延設した各々張出板３ａ、３ｂと、側板４の一側端の上部と他側端の下部とに延設した各々張出板４ａ、４ｂと、接合板５の一側端の上部に延設した張出板５ａとを備えた。【選択図】図２
2004106897.tif 000002
【特許請求の範囲】
【請求項１】
四つの側板１、２、３、４と、接合板５からなり、側板１の一端部と接合板５とを重ね合わせ接合した四角形筒状の胴部２０と、底部３０とからなる箱体であって、前記側板１の他側端の下部に延設した張出板１ｂと、側板２の一側端の上部と他側端の下部とに延設した各々張出板２ａ、２ｂと、側板３の一側端の上部と他側端の下部とに延設した各々張出板３ａ、３ｂと、側板４の一側端の上部と他側端の下部とに延設した各々張出板４ａ、４ｂと、接合板５の一側端の上部に延設した張出板５ａとを備えたことを特徴とする包装用緩衝材。
【請求項２】
四つの側板１、２、３、４と、接合板５が各々折目を介して連設され且つ前記側板１の他側端の下部に延設した張出板１ｂと、側板２の一側端の上部と他側端の下部とに延設した各々張出板２ａ、２ｂと、側板３の一側端の上部と他側端の下部とに延設した各々張出板３ａ、３ｂと、側板４の一側端の上部と他側端の下部とに延設した各々張出板４ａ、４ｂと、接合板５の一側端の上部に延設した張出板５ａとを備え、前記側板１の一端部と接合板５とを重ね合わせ接合した四角形筒状に形成される胴部２０と、前記側板１の下端に外底板６と巻込板７、側板２の下端にフラップ板８、側板３の下端に内底板９、側板４の下端にフラップ板１１が各々折目を介して連設された底部３０とからなる箱体であって、前記外底板６と巻込板７との折目に沿って差込孔７ａが孔設され、前記側板３の下端部から内底板９の上端部までに切込線により係止板１０と差込板１０ａが形成され、前記フラップ板８、１１、内底板９、外底板６、巻込板７をこの順に折り込み、前記巻込板７外面に係止板１０を重ね合わせ、差込板１０ａを差込孔７ａに差し込み係止して底部３０が形成されていることを特徴とする包装用緩衝材。
【発明の詳細な説明】
【０００１】
【発明の属する技術分野】
本発明は、日本酒やウイスキー等の酒類を充填包装した１升瓶やウイスキー瓶などのガラスビンをはじめとして、壊れ易い物品を包装するために使用される包装用緩衝材に関する。
【０００２】
【従来の技術】
ガラスビンをはじめとして、壊れ易い物品を包装するために使用される既存の包装用緩衝材としては、ダンボール紙等の厚紙や、発泡ウレタン材や、合成樹脂フィルム製のエアーマット等を用いて、物品に巻き付けたり、折り曲げたり、あるいはダンボール紙や、発泡ウレタン製の複数のパーツを組み立てて形成する組立方式の緩衝材がある。
【０００３】
ダンボール紙や、発泡ウレタン材を用いた複数のパーツを組み立てて形成する組立方式の緩衝材では、数種類のパーツが必要であり、そのパーツの増加や、貼り合わせ部が必要であったりして、緩衝材の組立が煩雑であり、包装原価が割高となる傾向がある。
【０００４】
また、包装用緩衝材に発泡ウレタン材やスチロール樹脂等の合成樹脂を用いた場合には、使用後の廃棄処理が面倒であり、焼却処理における有害ガスの発生の問題があり、環境に悪影響を及ぼす。
【０００５】
【発明が解決しようとする課題】
本発明の課題は、複数のパーツを必要とせずに簡単に組み立てることができ、また、ダンボール紙等の厚紙を用いて形成することにより、使用後の廃棄処理が容易であり、焼却処理における有害ガスの発生の問題もない環境に優しい組立方式の包装用緩衝材を提供することにある。
【０００６】
【課題を解決するための手段】
本発明の請求項１に係る発明は、四つの側板１、２、３、４と、接合板５からなり、側板１の一端部と接合板５とを重ね合わせ接合した四角形筒状の胴部２０と、底部３０とからなる箱体であって、前記側板１の他側端の下部に延設した張出板１ｂと、側板２の一側端の上部と他側端の下部とに延設した各々張出板２ａ、２ｂと、側板３の一側端の上部と他側端の下部とに延設した各々張出板３ａ、３ｂと、側板４の一側端の上部と他側端の下部とに延設した各々張出板４ａ、４ｂと、接合板５の一側端の上部に延設した張出板５ａとを備えたことを特徴とする包装用緩衝材である。
【０００７】
本発明の請求項２に係る発明は、四つの側板１、２、３、４と、接合板５が各々折目を介して連設され且つ前記側板１の他側端の下部に延設した張出板１ｂと、側板２の一側端の上部と他側端の下部とに延設した各々張出板２ａ、２ｂと、側板３の一側端の上部と他側端の下部とに延設した各々張出板３ａ、３ｂと、側板４の一側端の上部と他側端の下部とに延設した各々張出板４ａ、４ｂと、接合板５の一側端の上部に延設した張出板５ａとを備え、前記側板１の一端部と接合板５とを重ね合わせ接合した四角形筒状に形成される胴部２０と、前記側板１の下端に外底板６と巻込板７、側板２の下端にフラップ板８、側板３の下端に内底板９、側板４の下端にフラップ板１１が各々折目を介して連設された底部３０とからなる箱体であって、前記外底板６と巻込板７との折目に沿って差込孔７ａが孔設され、前記側板３の下端部から内底板９の上端部までに切込線により係止板１０と差込板１０ａが形成され、前記フラップ板８、１１、内底板９、外底板６、巻込板７をこの順に折り込み、前記巻込板７外面に係止板１０を重ね合わせ、差込板１０ａを差込孔７ａに差し込み係止して底部３０が形成されていることを特徴とする包装用緩衝材である。
【０００８】
【発明の実施の形態】
本発明の包装用緩衝材の実施の形態を、以下に詳細に説明すれば、図１は本発明の包装用緩衝材Ａの全体斜視図であり、折目を介して連設した四つの側板１、２、３、４と接合板５からなり、側板１の一端部と接合板５とを重ね合わせ、ホッチキス又は接着材にて接合（又は貼着）した四角形筒状の胴部２０を備え、また前記胴部２０の下端には水平な底部３０を連設して備え、全体が、段ボール製又は厚紙製の箱体形状となっている。
【０００９】
前記側板１の他側端の下部には、該側板１より片側外方に延設した張出板１ｂを備え、側板２の一側端の上部と他側端の下部とには、該側板２より両側外方に延設した各々張出板２ａ、２ｂを備える。
【００１０】
また、前記側板３の一側端の上部と他側端の下部とには、該側板３より両側外方に延設した各々張出板３ａ、３ｂを備え、側板４の一側端の上部と他側端の下部とには、該側板４より両側外方に延設した各々張出板４ａ、４ｂを備える。
【００１１】
また、接合板５の一側端の上部には、該接合板５の片側外方に延設した張出板５ａを備えている。
【００１２】
図２は、本発明の包装用緩衝材Ａの使用例を説明する斜視図であり、緩衝材Ａは、外装箱Ｂ内に装填して使用される。
【００１３】
外装箱Ｂは、例えば、図示するように折目を介して連設した四つの側板４１、４２、４３、４４と、接合板４５からなり、側板４１の一端部と接合板４５とを重ね合わせ、ホッチキス又は接着材等にて接合（又は貼着）した四角形筒状の胴部４０と、該胴部４０の下端に連設した水平な底部５０とからなる、段ボール製又は厚紙製又はプラスチック製（プラスチックシート製又は発泡ウレタン製など）の箱体である。
【００１４】
まず、本発明の包装用緩衝材Ａ内に、所定の内容物Ｍ（例えば、日本酒を充填密封した一升びん等）を、そのびんＭの外側面が緩衝材Ａの各側板１、２、３、４内面に略接するように装填した後に、外装箱Ｂ内に、該緩衝材Ａを、その緩衝材Ａの各張出板１ｂ、２ａ、２ｂ、３ａ、３ｂ、４ａ、４ｂ、５ａの先端部が、外装箱Ｂの各側板４１、４２、４３、４４内面に略接するように装填する。そして、外装箱Ｂの側板４２、４４上端に連設したフラップ板４７、４７を内方に水平に折り曲げ、続いて側板４１上端に連設した蓋板４６を水平内方に折り曲げて、フラップ４７、４７上面に重ね合わせ、蓋板４６の差込板４６ａを、側板４３上端とフラップ板４７との間に差し込み係止して施蓋することにより、内容物Ｍが包装される。
【００１５】
または、外装箱Ｂ内に包装用緩衝材Ａを、該緩衝材Ａの各張出板１ｂ、２ａ、２ｂ、３ａ、３ｂ、４ａ、４ｂ、５ａの先端部が外装箱Ｂの内面に略接するように装填した後に、該緩衝材Ａ内に所定の内容物Ｍ（例えば、日本酒を充填密封した一升びん等）を、そのびんＭの外側面が緩衝材Ａの各側板１、２、３、４内面に略接するように装填し、その後、上記同様に外装箱Ｂの蓋板４６にて施蓋することにより、内容物Ｍが包装される。
【００１６】
なお、本発明の緩衝材Ａを装填する外装箱の構造としては、上記図２に示した構造に限定されるものではなく、例えば直方体又は立方体の六面体の一面が開口する蓋部と身部との組み合わせによる箱体であってもよい。
【００１７】
図３は、本発明の包装用緩衝材Ａの他の使用例を説明する斜視図であり、内容物Ｍ（日本酒を充填密封した一升びん等）を１本ずつ装填した複数個の緩衝材Ａを１つの外装箱Ｂ内に装填する包装形態にて使用するようにしてもよい。
【００１８】
本発明の包装用緩衝材Ａの具体的実施例におけるブランクシートの一例を図４に基づいて説明する。
【００１９】
図４に示すように、本発明の緩衝材Ａは、四つの側板１、２、３、４と、接合板５が各々折目ａ、ｂ、ｃ、ｄを介して連設され、前記側板１の他側端の下部には、前記折目ａよりコの字状に張り出した切込線ａ２　により側板１より延設して形成された張出板１ｂを備える。
【００２０】
また、側板２の一側端の上部と他側端の下部には、前記折目ａよりコの字状に張り出した切込線ａ１　により側板２より延設して形成された張出板２ａと、折目ｂよりコの字状に張り出した切込線ｂ２　により側板２より延設して形成された張出板２ｂを備える。
【００２１】
また、側板３の一側端の上部と他側端の下部には、前記折目ｂよりコの字状に張り出した切込線ｂ１　により側板３より延設して形成された張出板３ａと、折目ｃよりコの字状に張り出した切込線ｃ２　により側板３より延設して形成された張出板３ｂを備える。
【００２２】
また、側板４の一側端の上部と他側端の下部には、前記折目ｃよりコの字状に張り出した切込線ｃ１　により側板４より延設して形成された張出板４ａと、折目ｄよりコの字状に張り出した切込線ｄ２　により側板４より延設して形成された張出板４ｂを備える。
【００２３】
また、接合板５の一側端の上部には、前記折目ｄよりコの字状に張り出した切込線ｄ１　により接合板５より延設して形成された張出板５ａを備える。
【００２４】
そして、前記折目ａ、ｂ、ｃ、ｄを同一方向に直角に折り曲げて、前記側板１の一端部と接合板５とを重ね合わせ、ホッチキス又は接着材などにて接合（又は貼着）することにより、四角形筒状の胴部２０が形成される。
【００２５】
また、前記側板１の下端には各々折目ｅ、ｅ１　を介して外底板６と巻込板７が、側板２の下端には折目ｆを介してフラップ板８が、側板３の下端には折目ｇを介して内底板９が、側板４の下端には折目ｈを介してフラップ板１１が、それぞれ連設されている。
【００２６】
また、前記外底板６と巻込板７との折目ｅ１　に沿って差込孔７ａが孔設され、前記側板３の下端部から内底板９の上端部までに切込線ｊと、必要に応じて設けた折目ｉにより係止板１０と、前記折目ｇを介して差込板１０ａが形成されている。
【００２７】
そして、前記フラップ板８、１１、内底板９、外底板６、巻込板７を、各折目に沿ってこの順に折り込み、前記巻込板７外面に係止板１０を重ね合わせ、差込板１０ａを差込孔７ａに差し込み係止することにより、底部３０が形成されて、本発明の包装用緩衝材Ａが組み立てられるものである。
【００２８】
本発明の包装用緩衝材Ａは、図２、図３に示すように、四角筒状胴部２０の各角隅部には、その角隅部の上部と下部とに、胴部２０の各側板１、２、３、４に対して所定の長さｓ（例えば、５〜８ｍｍ、又は８〜１０ｍｍ程度）に張り出した各々張出板１ｂ、２ａ、２ｂ、３ａ、３ｂ、４ａ、４ｂ、５ａが形成されており、該緩衝材Ａを外装箱Ｂ内に装填した際には、緩衝材Ａの各側板の外面と外装箱Ｂの内面との間に、前記長さｓに相当するスペースが形成できる。
【００２９】
また、該緩衝材Ａの各側板１、２、３、４は、各側板の左右両端上下に張り出した対向する前記張出板により、外装箱Ｂ内面にて懸架された状態となる。
【００３０】
そのため、該緩衝材Ａの各側板によって、該緩衝材Ａ内に装填した内容物Ｍに対してクッション性が付与され、外装箱Ｂ外側からの衝撃に対する衝撃吸収作用と、緩衝作用が得られるものである。
【００３１】
【発明の効果】
本発明の包装用緩衝材は、複数のパーツを必要とせずに、簡単に組み立てることができ、また、ダンボール紙等の厚紙を用いて形成することにより、使用後の廃棄処理が容易であり、焼却処理における有害ガスの発生の問題もない、環境に優しい組立方式の包装用緩衝材を提供することができる。
【図面の簡単な説明】
【図１】本発明の包装用緩衝材の全体斜視図。
【図２】本発明の包装用緩衝材の使用例を説明する全体斜視図。
【図３】本発明の包装用緩衝材の他の使用例を説明する全体斜視図。
【図４】本発明の包装用緩衝材の具体的実施例におけるブランクシートの一例を示す平面図。
【符号の説明】
Ａ…包装用緩衝材　　Ｂ…外装箱　Ｍ…内容物
１、２、３、４…側板　５…接合板　６…蓋板　７…巻込板　７ａ…孔設部
８…フラップ板　９…内底板
１０…係止板　１０ａ…差込板　１１…フラップ板
２０…胴部　３０…底部　４０…胴部　５０…底部
【図１】
2004106897.tif 000003
【図２】
2004106897.tif 000004
【図３】
2004106897.tif 000005
【図４】
2004106897.tif 000006